(57)【要約】【課題】既設の電力線ダクトの電路を切断するといった電気工事を行うことなく既設の電力線ダクトの電力線を電力線搬送通信の伝送路とすることができる電力線通信システムを提供する。【解決手段】分電盤１０を介して電力線７０同士が接続された複数の電力線ダクト２０と、各電力線ダクト２０に着脱可能に接続され、電力線ダクト２０の電力線を伝送路として電力線搬送通信を行うための電力線搬送通信モデムを含むＰＬＣプラグ６０と、各電力線ダクト２０に着脱可能に接続された通信プラグ４０と、ＰＬＣプラグ６０及び通信プラグ４０よりも分電盤１０側に接続され、分電盤１０へのＰＬＣ信号の通過を阻止するブロッキングフィルタを含むブロッキングプラグ３０とを備え、通信プラグ４０は、電力線ダクト２０の電力線７０に流れるＰＬＣ信号を、通信路８０を介して他の電力線ダクト２０に接続された通信プラグ４０に送信する。【選択図】図１
2008182635.tif 000002
【特許請求の範囲】
【請求項１】
分電盤と、
前記分電盤から分配される電力が送電される電力線を含む複数の電力線ダクトと、
前記電力線ダクト及び端末装置を電気的に接続し、前記端末装置から送信された通信データを電力線搬送通信信号に変調して前記電力線ダクトに送信すると共に、前記電力線ダクトに流れる電力線搬送通信信号を受信し、受信した電力線搬送通信信号を復調して前記端末装置に送信するＰＬＣプラグと、
前記電力線ダクトに着脱可能に接続された通信プラグと、
前記電力線ダクトに着脱可能に接続され、前記ＰＬＣプラグ及び前記通信プラグよりも前記分電盤側に接続され、前記分電盤への電力線搬送通信信号の漏洩を阻止するブロッキングフィルタを含むブロッキングプラグとを備え、
前記通信プラグは、前記電力線ダクトに流れる電力線搬送通信信号を、所定の通信路を介して他の電力線ダクトに接続された通信プラグに送信することを特徴とする電力線通信システム。
【請求項２】
前記ブロッキングプラグにおけるブロッキングフィルタは、可変コンデンサにより構成されていることを特徴とする請求項１記載の電力線通信システム。
【請求項３】
前記ブロッキングプラグは、
前記ブロッキングフィルタとしてのコンデンサと、
前記通信プラグ同士を多段接続するための接続部とを備え、
前記接続部は、多段接続されたブロッキングプラグが備える各コンデンサを並列接続させることを特徴とする請求項１記載の電力線通信システム。
【発明の詳細な説明】
【技術分野】
【０００１】
本発明は、電力を送電する電力線ダクトを用いた電力線通信システムに関するものである。
【背景技術】
【０００２】
特許文献１には、分電盤と、分電盤に接続された電路用ダクト（電力線ダクト）と、電力線ダクトに接続されたプラグと、プラグを介して電力線ダクトに接続された照明機器と、プラグを介して電力線ダクトに接続された集中監視盤と、電力線ダクト及び分電盤間に接続された信号漏洩阻止フィルタとを備え、照明器具等の移設、増改設等を簡単に行うことができる電力線通信システムが開示されている。
【特許文献１】特開昭５３−０８４１９５号公報
【発明の開示】
【発明が解決しようとする課題】
【０００３】
しかしながら、特許文献１の電力線通信システムにおいては、信号漏洩阻止フィルタが分電盤及び電力線ダクト間に挿入されているため、電力線ダクトを電力線搬送通信の伝送路として使用するためには、一旦、電力線ダクトへの電力供給を遮断し、電力線ダクト及び分電盤間を接続する電力線を切断してブロッキングフィルタを挿入するといった電気工事が必要となることから手間がかかるという問題があった。
【０００４】
本発明の目的は、既設の電力線ダクトの電力線を切断するといった電気工事を行うことなく既設の電力線ダクトの電力線を電力線搬送通信の伝送路とする電力線通信システムを提供することである。
【課題を解決するための手段】
【０００５】
本発明による電力線通信システムは、分電盤と、前記分電盤から分配される電力が送電される電力線を含む複数の電力線ダクトと、前記電力線ダクト及び端末装置を電気的に接続し、前記端末装置から送信された通信データを電力線搬送通信信号に変換して前記電力線ダクトに送信すると共に、前記電力線ダクトに流れる電力線搬送通信信号を受信し、受信した電力線搬送通信信号を復調して前記端末装置に送信するＰＬＣプラグと、前記電力線ダクトに着脱可能に接続された通信プラグと、前記電力線ダクトに着脱可能に接続され、前記ＰＬＣプラグ及び前記通信プラグよりも前記分電盤側に接続され、前記分電盤への電力線搬送通信信号の漏洩を阻止するブロッキングフィルタを含むブロッキングプラグとを備え、前記通信プラグは、前記電力線ダクトに流れる電力線搬送通信信号を、所定の通信路を介して他の電力線ダクトに接続された通信プラグに送信することを特徴とする。
【０００６】
この構成によれば、端末装置から出力された通信データは、ＰＬＣプラグにより電力線搬送通信信号に変調されて電力線ダクトへと送信され、当該電力線ダクトに接続された通信プラグにより通信路を介して他の電力線ダクトに接続された通信プラグへと送信され、当該他の電力線ダクトに接続されたＰＬＣプラグにより復調され、当該ＰＬＣプラグに接続された端末装置に送信される。ここで、ブロッキングプラグ、通信プラグ、及びＰＬＣプラグは、電力線ダクトに対して着脱可能に構成されている。また、ブロッキングプラグはＰＬＣプラグ及び通信プラグよりも分電盤側に接続され、分電盤側に電力線搬送通信信号が流れることを阻止している。従って、ブロッキングプラグをＰＬＣプラグ及び通信プラグよりも分電盤側に接続し、通信プラグ間を通信路で接続するというような簡便な作業を行うだけで、電力線通信システムを実現することができ、既設の電力線ダクトの電力線を切断するといった電気工事を行うことなく既設の電力線ダクトの電力線を電力線搬送通信信号の伝送路とする電力線通信システムを実現することができる。
【０００７】
また、前記ブロッキングプラグにおけるブロッキングフィルタは、可変コンデンサにより構成されていることが好ましい。
【０００８】
この構成によれば、ブロッキングフィルタを可変コンデンサにより構成したため、可変コンデンサの容量を調整することで、電力線搬送通信信号の分電盤側への漏洩をより確実に防止することができる。すなわち、電力線ダクトの電力線のインピーダンスは、電力線ダクトに接続された機器の種類や個数に応じて変動し、これにより電力線を流れる電力線搬送通信信号の帯域が変動するが、ブロッキングプラグが可変コンデンサにより構成されているため、可変コンデンサの容量を調整することで、電力線搬送通信信号が分電盤に流れることをより確実に防止することができる。
【０００９】
また、前記ブロッキングプラグは、前記ブロッキングフィルタとしてのコンデンサと、前記通信プラグ同士を多段接続するための接続部とを備え、前記接続部は、多段接続された通信プラグが備える各コンデンサを並列接続させることが好ましい。
【００１０】
この構成によれば、ブロッキングプラグを多段接続することで、並列接続されるコンデンサの個数を調整し、ブロッキングプラグを構成するコンデンサの合成容量を調整することが可能となり、電力線搬送通信信号の分電盤側への漏洩をより確実に防止することができる。すなわち、電力線ダクトの電力線のインピーダンスは、電力線ダクトに接続された機器の種類や個数に応じて変動し、これにより電力線を流れる電力線搬送通信信号の帯域が変動するが、ブロッキングプラグの接続個数を調整することで、電力線搬送通信信号が分電盤に流れることをより確実に防止することができる。
【発明の効果】
【００１１】
本発明によれば、通信プラグをＰＬＣプラグ及び通信プラグよりも分電盤側に接続し、通信プラグ間を通信路で接続するというような簡便な作業を行うだけで、電力線通信システムを実現することができ、既設の電力線ダクトの電力線を切断するといった電気工事を行うことなく既設の電力線ダクトの電力線を電力線搬送通信信号の伝送路とする電力線通信システムを実現することができる。
【発明を実施するための最良の形態】
【００１２】
以下本発明の実施の形態による電力線通信システムについて説明する。なお、各図において同一の符号を付したものは同一のものを表している。
【００１３】
（実施の形態１）
図１（ａ）は実施の形態１による電力線通信システムの全体構成図を示し、（ｂ）はブロッキングプラグ３０の回路図を示している。電力線通信システムは、分電盤１０、電力線ダクト２０、ブロッキングプラグ３０、通信プラグ４０、電力プラグ５０、ＰＬＣ（Power Line Communications；電力線搬送通信）プラグ６０、通信路８０、端末装置１００、及び照明器具２００を備えている。
【００１４】
分電盤１０は、商用電力を送電する電力線と接続され、商用電力を各電力線７０に分配する。電力線ダクト２０は、単相３線の電力線７０を含み、分電盤１０を介して電力線７０同士が接続されている。以下、図１（ａ）において上側に示す電力線ダクト２０を電力線ダクト２１とし、下側に示す電力線ダクト２０を電力線ダクト２２とし、電力線ダクトを総称するときは電力線ダクト２０とする。なお、電力線７０として、三相３線のものを採用してもよい。
【００１５】
図２は、電力線ダクト２０の外観構成図を示し、図３は、電力線ダクト２０の断面図を示している。図２に示すように電力線ダクト２０は、電力線７０の配線方向を長手方向とする細長い形状を有するダクト部２３を備えている。ダクト部２３の下部には、電力線７０の配線方向を長手方向とする開口部２４が形成され、ブロッキングプラグ３０、電力プラグ５０、及びＰＬＣプラグ６０を着脱可能に接続するためのプラグ接続部７４が設けられている。また、ダクト部２３は、左及び右側の両内壁に電力線７０を構成する電路７１，７２が配設されている。電路７１はＬ１相又はＬ２相が流れ、電路７２はＮ相が流れる。
【００１６】
図３に示すように、ダクト部２３の左側及び右側の両内壁には、ダクト部２３の中心に向かって対向するように形成された一対のホルダ７３１と、開口部２４とを備えている。ホルダ７３１の内部には、電路７１，７２が配設されている。ホルダ７３１の頂部は開口しており、ブロッキングプラグ３０、通信プラグ４０、電力プラグ５０、及びＰＬＣプラグ６０が備える端子部が挿入され、ブロッキングプラグ３０、通信プラグ４０、電力プラグ５０、及びＰＬＣプラグ６０と電力線ダクト２０とが電気的に接続される。
【００１７】
ブロッキングプラグ３０は、電力線ダクト２０に対して着脱可能に接続され、ＰＬＣプラグ６０及び通信プラグ４０よりも分電盤１０側に接続され、分電盤１０への電力線搬送通信信号（以下、「ＰＬＣ信号」と呼ぶ）の通過を阻止するブロッキングフィルタを備えている。ここで、ブロッキングフィルタとしては、図１（ｂ）に示すようなコンデンサＣ１を採用することができる。コンデンサＣ１はＰＬＣ信号の周波数帯域（高速ＰＬＣであれば、例えば２ＭＨｚ〜３０ＭＨｚ）の分電盤１０側への漏洩を阻止することが可能な容量を有する。
【００１８】
また、ブロッキングプラグ３０は、電力線ダクト２０の任意の位置に取り付け可能な接続部を備えている。図４は、ブロッキングプラグ３０の外観構成を示した図であり、（ａ）は上面図、（ｂ）はａ−ａ断面図、（ｃ）は前面図を示している。なお、図４（ａ）〜（ｃ）において、ｘは奥行方向、ｙは幅方向、ｚは高さ方向を示している。図４（ａ）〜（ｃ）に示すようにブロッキングプラグ３０は、本体部３２と、本体部３２の上方向側に配設された接続部３６とを備えている。本体部３２は、ほぼ直方体形状を有し、内部に、コンデンサＣ１とコンデンサＣ１を電力線７０に接続するための電路とが配設されている。接続部３６は、ｚ方向を長手方向とする円筒部３５と、円筒部３５の側面においてｙ，−ｙ方向側に突出する一対の突出部３３と、円筒部３５の側面においてｙ，−ｙ方向側に突出する一対の電極３４とを備えている。突出部３３は平板形状を有し、円筒部３５と一体形成されている。電極３４は金属から構成された平板形状を有する部材から構成され、電路を介してコンデンサＣ１と電気的に接続されている。
【００１９】
電力線ダクト２０の開口部２４に電極３４及び突出部３３が挿入され、ブロッキングプラグ３０がｚ方向を中心として９０度回転されると、突出部３３が開口部２４の両脇に設けられた底面２４ａとホルダ７３１との間に勘合される共に、電極３４がホルダ７３１の内部に挿入され、ブロッキングプラグ３０と電力線ダクト２０とが電気的に接続される。一方、電力線ダクト２０に接続されたブロッキングプラグ３０がｚ方向を中心として９０度回転されると、突出部３３の嵌合が解除されると共に、電極３４とホルダ７３１との接続が解除され、ブロッキングプラグ３０を電力線ダクト２０から取り外すことができる。
【００２０】
通信プラグ４０は、ブロッキングプラグ３０と同様の接続部を備え、電力線ダクト２０の底面２４ａの任意の位置に着脱可能であり、電力線ダクト２０の電力線７０に流れるＰＬＣ信号を、通信路８０を介して他の電力線ダクト２０に接続された通信プラグ４０に送信する。ここで、通信路８０としては一対の導線からなるツイストペアケーブルを採用することができる。
【００２１】
通信プラグ４０は、ブロッキングプラグ３０と同様にして電力線ダクト２０に接続されると、通信路８０を構成する一方の導線が電路７１に接続され、他方の導線が電路７２に接続され、通信路８０と電力線７０とが電気的に接続される。
【００２２】
電力プラグ５０は、ブロッキングプラグ３０と同様の接続部を備え、電力線ダクト２０の底面２４ａの任意の位置に着脱可能であり、電力線７０を流れる電力を電力プラグ５０に接続された照明器具２００に供給する。
【００２３】
ＰＬＣプラグ６０は、ブロッキングプラグ３０と同様の接続部を備え、電力線ダクト２０の底面２４ａの任意の位置に接続可能であり、ＬＡＮ入出力部及び電力線搬送通信モデムを備えている。ＬＡＮ入出力部は、１０Ｂａｓｅ−Ｔや１００Ｂａｓｅ−Ｔ等のＬＡＮケーブルが接続可能なＬＡＮ端子から構成され、ＬＡＮケーブルを介して端末装置１００と接続される。電力線搬送通信モデム部は、ＬＡＮ入出力部により受信されたＬＡＮ信号をＰＬＣ信号に変換して電力線７０に送信すると共に、電力線ダクト２０に流れるＰＬＣ信号を受信し、受信したＰＬＣ信号をＬＡＮ信号に変換し、端末装置１００に送信する。
【００２４】
端末装置１００は、ＬＡＮケーブルを介してＰＬＣプラグ６０に接続されたパーソナルコンピュータから構成され、ＬＡＮの通信プロトコルに準拠したＬＡＮ信号を、他の電力線ダクト２０に接続された端末装置１００に送信すると共に、他の電力線ダクト２０に接続された端末装置１００から送信されるＬＡＮ信号を受信する。なお、端末装置１００としては、デジタルカメラ等のパーソナルコンピュータ以外の機器を採用してもよい。照明器具２００は、蛍光灯、電球、発光ダイオード等の照明器具から構成される。なお、電力プラグ５０において照明器具２００に代えて、テレビ受像器や洗濯機等の家庭用電化製品を接続しても良い。
【００２５】
次に、実施の形態１による電力線通信システムの動作について説明する。電力線ダクト２１に接続された端末装置１００から通信データがＬＡＮ信号として送信されると、電力線ダクト２１に接続されたＰＬＣプラグ６０は、送信されたＬＡＮ信号をＰＬＣ信号に変換して電力線ダクト２１へと送信する。電力線ダクト２１に接続された通信プラグ４０は、電力線ダクト２１を流れるＰＬＣ信号を受信し、受信したＰＬＣ信号を通信線８０を介して電力線ダクト２２に接続された通信プラグ４０に送信し、通信プラグ４０は受信したＰＬＣ信号を電力線ダクト２２へ送信する。電力線ダクト２２に接続されたＰＬＣプラグ６０は、電力線ダクト２２に流れるＰＬＣ信号を受信し、受信したＰＬＣ信号をＬＡＮ信号に変換し、ＬＡＮケーブルを介して端末装置１００に送信する。
【００２６】
このように実施の形態１による電力線通信システムによれば、ブロッキングプラグ３０、通信プラグ４０、及びＰＬＣプラグ６０は、電力線ダクト２０に対して着脱可能に構成されている。また、ブロッキングプラグ３０はＰＬＣプラグ６０及び通信プラグ４０よりも分電盤１０側に接続され、分電盤１０側にＰＬＣ信号が流れることを阻止している。従って、ブロッキングプラグ３０をＰＬＣプラグ６０及び通信プラグ４０よりも分電盤１０側に接続し、通信プラグ４０間を通信路８０で接続するというような簡便な作業を行うだけで、電力線通信システムを実現することができ、既設の電力線ダクト２０の電力線７０を切断するといった電気工事を行うことなく既設の電力線ダクト２０の電力線をＰＬＣ信号の伝送路とする電力線通信システムを実現することができる。
【００２７】
（実施の形態２）
次に、実施の形態２による電力線通信システムについて説明する。図５（ａ）は実施の形態２による電力線通信システムの全体構成図を示し、（ｂ）はブロッキングプラグ３０の回路図を示している。図５（ａ）に示すように実施の形態２による電力線通信システムにおいては、ブロッキングプラグ３０が可変コンデンサＣ１１により構成されている。可変コンデンサＣ１１は、容量を調整するためのダイヤルを備えるトリマコンデンサにより構成され、ＰＬＣ信号が分電盤１０側に流れることを阻止する。施工業者等の作業者は、ダイヤルの回転角度を調整することで、ＰＬＣ信号が分電盤１０側へ流れないように、可変コンデンサＣ１１の容量を調整する。
【００２８】
このように、ブロッキングプラグ３０を可変コンデンサＣ１１により構成したため、可変コンデンサＣ１１の容量を調整して、ＰＬＣ信号が分電盤１０側に流れることをより確実に防止することができる。すなわち、電力線ダクト２０の電力線７０のインピーダンスは、電力線ダクト２０に接続され機器の種類や個数に応じて変動し、これにより電力線７０を流れるＰＬＣ信号の帯域が変動するが、ブロッキングプラグ３０が可変コンデンサＣ１１により構成されているため、可変コンデンサＣ１１の容量を調整することで、ＰＬＣ信号が分電盤１０に流れることをより確実に防止することができる。
【００２９】
（実施の形態３）
次に、実施の形態３による電力線通信システムについて説明する。図６（ａ）は実施の形態３による電力線通信システムの全体構成図を示し、（ｂ）はブロッキングプラグ３０ａの回路図を示している。また、図７はブロッキングプラグ３０ａの外観構成を示した図であり、（ａ）はｂ−ｂ断面図、（ｂ）は上面図、（ｃ）は前面図を示している。ブロッキングプラグ３０ａは、図７（ａ）に示すように図４に示すブロッキングプラグ３０において−ｚ方向側の端部に接続部３７が配設された構成を有している。接続部３７は、ｙｚ断面がほぼ「コ」の字形状を有した開口部３７ａを備える部材から構成され、ｙ方向側の両内壁には中心に向かって対向するような一対のホルダ３７１が形成されている。このホルダ３７１は、図３に示すホルダ７３１と同一構成を有している。従って、接続部３７の開口部３７ａに他のブロッキングプラグ３０ａの電極３４及び突出部３３が挿入され、ブロッキングプラグ３０ａがｚ方向を中心として９０度回転されると、突出部３３が開口部３７ａの両脇に設けられた底面３７ｂとホルダ７３１との間に嵌合されると共に、電極３４がホルダ７３１の内部に挿入され、ブロッキングプラグ３０ａが電力線ダクト２０に接続され、図６（ｂ）に示すようにコンデンサＣ１が他のブロッキングプラグ３０ａのコンデンサＣ１と並列接続される。
【００３０】
このように、ブロッキングプラグ３０ａの−ｚ方向側の端部に接続部３７を配設したため、ブロッキングプラグ３０ａを多段接続することで、並列接続されるコンデンサＣ１の個数を調整し、ブロッキングプラグ３０ａを構成するコンデンサＣ１の合成容量を調整することが可能となり、ＰＬＣ信号が分電盤１０側に流れることをより確実に防止することができる。すなわち、電力線ダクト２０の電力線７０のインピーダンスは、電力線ダクト２０に接続された機器の種類や個数に応じて変動し、これにより電力線７０を流れるＰＬＣ信号の帯域が変動するが、ブロッキングプラグ３０ａの接続個数を調整することで、ＰＬＣ信号が分電盤１０に流れることをより確実に防止することができる。
【図面の簡単な説明】
【００３１】
【図１】（ａ）は実施の形態１による電力線通信システムの全体構成図を示し、（ｂ）はブロッキングプラグの回路図を示している。
【図２】電力線ダクトの外観構成図を示している。
【図３】電力線ダクトの部分断面図を示している。
【図４】ブロッキングプラグの外観構成を示した図であり、（ａ）は上面図、（ｂ）はａ−ａ断面図、（ｃ）は前面図を示している。
【図５】（ａ）は実施の形態２による電力線通信システムの全体構成図を示し、（ｂ）はブロッキングプラグの回路図を示している。
【図６】（ａ）は実施の形態３による電力線通信システムの全体構成図を示し、（ｂ）はブロッキングプラグの回路図を示している。
【図７】ブロッキングプラグの外観構成を示した図であり、（ａ）はｂ−ｂ断面図、（ｂ）は上面図、（ｃ）は前面図を示している。
【符号の説明】
【００３２】
１０  分電盤
２０，２１，２２  電力線ダクト
２３  ダクト部
２４  開口部
２４ａ  底面
３０，３０ａ  ブロッキングプラグ
４０  通信プラグ
５０  電力プラグ
６０  ＰＬＣプラグ
７０  電力線
８０  通信路
１００  端末装置
２００  照明器具
【図１】
2008182635.tif 000003
【図２】
2008182635.tif 000004
【図３】
2008182635.tif 000005
【図４】
2008182635.tif 000006
【図５】
2008182635.tif 000007
【図６】
2008182635.tif 000008
【図７】
2008182635.tif 000009